【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
店舗での取引処理に使用可能な記録媒体を所有する所有者の操作により、当該記録媒体を個々に識別可能な記録媒体識別情報を含む登録要求を送信する登録要求送信手段を備える操作端末と、
前記登録要求を受信したことに基づいて、該受信した登録要求に含まれる記録媒体識別情報を登録し、該登録した記録媒体識別情報である既登録記録媒体識別情報に対応付けて、前記記録媒体を使用した前記店舗での取引処理に関連して発生する取引関連情報を記憶する取引関連情報記憶手段を備える管理装置と、
を含む管理システムであって、
前記操作端末は、前記既登録記録媒体識別情報が記録された記録媒体に代えて新たな記録媒体の再発行を受けた前記所有者の操作により、該新たな記録媒体の記録媒体識別情報である新記録媒体識別情報と、前記既登録記録媒体識別情報とを含む引き継ぎ要求を前記管理装置に対して送信する引き継ぎ要求送信手段を備え、
前記管理装置は、
前記引き継ぎ要求を受信したことに基づいて、該受信した引き継ぎ要求に含まれる既登録記録媒体識別情報と新記録媒体識別情報とが同一店舗で発行された記録媒体の記録媒体識別情報であるか否かを判定する同一店舗判定手段と、
前記受信した引き継ぎ要求に含まれる新記録媒体識別情報が登録されているか否かを判定する登録判定手段と、
前記同一店舗判定手段により同一店舗で発行された記録媒体の記録媒体識別情報であると判定され、かつ前記登録判定手段により登録されていないと判定されたことを条件として、前記受信した引き継ぎ要求に含まれる既登録記録媒体識別情報に対応付けられている取引関連情報を、該引き継ぎ要求に含まれる新記録媒体識別情報に対応付ける引き継ぎ処理を行う引き継ぎ処理手段を備えることを特徴とする管理システム。
【請求項２】
請求項１に記載した管理システムであって、
前記操作端末は、複数の記録媒体識別情報を含む合算要求を前記管理装置に対して送信する合算要求送信手段をさらに備え、
前記管理装置は、
複数の各記録媒体識別情報に対応する各取引関連情報を合算するための合算条件を設定する合算条件設定手段と、
前記合算要求を受信したことに基づいて、該受信した合算要求に含まれる複数の記録媒体識別情報が前記合算条件設定手段により設定した合算条件を満たすか否かを判定する合算条件判定手段と、
該合算条件判定手段により合算条件を満たすと判定されたことを条件として、前記受信した合算要求に含まれる各記録媒体識別情報を対応付けて登録する登録手段と、
該登録手段により対応付けて登録した各記録媒体識別情報に対応する各取引関連情報を合算する合算処理を行う合算処理手段と、をさらに備えることを特徴とする管理システム。
【請求項３】
請求項２に記載した管理システムであって、
前記合算条件設定手段は、前記受信した合算要求に含まれる各記録媒体識別情報が記録された各記録媒体の発行店舗が異なることを前記合算条件として設定することを特徴とする管理システム。
【請求項４】
請求項２又は３に記載した管理システムであって、
前記管理装置は、複数の店舗が属するグループを設定するグループ設定手段をさらに備え、
前記合算条件設定手段は、前記受信した合算要求に含まれる各記録媒体識別情報が記録された各記録媒体の発行店舗が前記グループ設定手段により設定された同一グループに属することを前記合算条件として設定することを特徴とする管理システム。
【請求項５】
請求項２〜４のいずれか１つに記載した管理システムであって、
前記管理装置は、前記引き継ぎ要求を受信したことに基づいて、該受信した引き継ぎ要求に含まれる既登録記録媒体識別情報に対応付けて登録されている他の既登録記録媒体識別情報があるか否かを判定する対応付け判定手段をさらに備え、
該対応付け判定手段によりあると判定されたことを条件として、前記引き継ぎ処理手段により、前記引き継ぎ処理を行うと共に、前記登録手段により、前記引き継ぎ要求に含まれる新記録媒体識別情報を前記他の既登録記録媒体識別情報に対応付けて登録することを特徴とする管理システム。
【請求項６】
店舗での取引処理に使用可能な記録媒体を所有する所有者が操作する操作端末から、当該記録媒体を個々に識別可能な記録媒体識別情報を含む登録要求を受信したことに基づいて、該受信した登録要求に含まれる記録媒体識別情報を登録し、該登録した記録媒体識別情報である既登録記録媒体識別情報に対応付けて、前記記録媒体を使用した前記店舗での取引処理に関連して発生する取引関連情報を記憶する取引関連情報記憶手段を備える管理装置であって、
前記既登録記録媒体識別情報が記録された記録媒体に代えて新たな記録媒体の再発行を受けた前記所有者が操作する前記操作端末から、該新たな記録媒体の記録媒体識別情報である新記録媒体識別情報と、前記既登録記録媒体識別情報とを含む引き継ぎ要求を受信したことに基づいて、該受信した引き継ぎ要求に含まれる既登録記録媒体識別情報と新記録媒体識別情報とが同一店舗で発行された記録媒体の記録媒体識別情報であるか否かを判定する同一店舗判定手段と、
前記受信した引き継ぎ要求に含まれる新記録媒体識別情報が登録されているか否かを判定する登録判定手段と、
前記同一店舗判定手段により同一店舗で発行された記録媒体の記録媒体識別情報であると判定され、かつ前記登録判定手段により登録されていないと判定されたことを条件として、前記受信した引き継ぎ要求に含まれる既登録記録媒体識別情報に対応付けられている取引関連情報を、該引き継ぎ要求に含まれる新記録媒体識別情報に対応付ける引き継ぎ処理を行う引き継ぎ処理手段と、を備えることを特徴とする管理装置。
【手続補正２】
【補正対象書類名】明細書
【補正対象項目名】発明の名称
【補正方法】変更
【補正の内容】
【発明の名称】管理システム及び管理装置
【手続補正３】
【補正対象書類名】明細書
【補正対象項目名】０００１
【補正方法】変更
【補正の内容】
【０００１】
本発明は、店舗での取引処理に使用可能な記録媒体の記録媒体識別情報を登録し、該記録媒体識別情報に対応付けて、当該記録媒体を使用した前記店舗での取引処理に関連して発生する取引関連情報（例えばポイント）を記憶する管理装置を含む管理システム及び当該管理装置に係り、特に既に登録されている既登録記録媒体識別情報が記録された記録媒体に代えて新たな記録媒体の再発行が行われた場合に、前記管理装置が、当該既登録記録媒体識別情報に対応付けられている取引関連情報を当該新たな記録媒体に記録された新記録媒体識別情報に対応付ける引き継ぎ処理を行うものに関する。
【手続補正４】
【補正対象書類名】明細書
【補正対象項目名】０００７
【補正方法】変更
【補正の内容】
【０００７】
まず請求項１に係る発明は、店舗（遊技場）での取引処理（玉貸処理）に使用可能な記録媒体（会員カード）を所有する所有者の操作により、当該記録媒体を個々に識別可能な記録媒体識別情報（会員カードＩＤ）を含む登録要求を送信する登録要求送信手段を備える操作端末（ＰＣ６，携帯電話７，カードユニット２０，キオスク端末３０）と、前記登録要求を受信したことに基づいて、該受信した登録要求に含まれる記録媒体識別情報を登録し、該登録した記録媒体識別情報である既登録記録媒体識別情報に対応付けて、前記記録媒体を使用した前記店舗での取引処理に関連して発生する取引関連情報（使用金額，ポイント）を記憶する取引関連情報記憶手段（ポイント会員情報ＤＢ）を備える管理装置（ポイント管理装置５０）と、を含む管理システム（１）であって、前記操作端末は、前記既登録記録媒体識別情報が記録された記録媒体に代えて新たな記録媒体の再発行を受けた前記所有者の操作により、該新たな記録媒体の記録媒体識別情報である新記録媒体識別情報と、前記既登録記録媒体識別情報とを含む引き継ぎ要求を前記管理装置に対して送信する引き継ぎ要求送信手段を備え、前記管理装置は、前記引き継ぎ要求を受信したことに基づいて、該受信した引き継ぎ要求に含まれる既登録記録媒体識別情報と新記録媒体識別情報とが同一店舗で発行された記録媒体の記録媒体識別情報であるか否かを判定する同一店舗判定手段（制御部５２）と、前記受信した引き継ぎ要求に含まれる新記録媒体識別情報が登録されているか否かを判定する登録判定手段（制御部５２）と、前記同一店舗判定手段により同一店舗で発行された記録媒体の記録媒体識別情報であると判定され、かつ前記登録判定手段により登録されていないと判定されたことを条件として、前記受信した引き継ぎ要求に含まれる既登録記録媒体識別情報に対応付けられている取引関連情報を、該引き継ぎ要求に含まれる新記録媒体識別情報に対応付ける引き継ぎ処理を行う引き継ぎ処理手段（制御部５２）を備えることを特徴とする管理システム。
また請求項６に係る発明は、店舗（遊技場）での取引処理（玉貸処理）に使用可能な記録媒体（会員カード）を所有する所有者が操作する操作端末（ＰＣ６，携帯電話７，カードユニット２０，キオスク端末３０）から、当該記録媒体を個々に識別可能な記録媒体識別情報（会員カードＩＤ）を含む登録要求を受信したことに基づいて、該受信した登録要求に含まれる記録媒体識別情報を登録し、該登録した記録媒体識別情報である既登録記録媒体識別情報に対応付けて、前記記録媒体を使用した前記店舗での取引処理に関連して発生する取引関連情報を記憶する取引関連情報記憶手段（ポイント会員情報ＤＢ）を備える管理装置（ポイント管理装置５０）であって、前記既登録記録媒体識別情報が記録された記録媒体に代えて新たな記録媒体の再発行を受けた前記所有者が操作する前記操作端末から、該新たな記録媒体の記録媒体識別情報である新記録媒体識別情報と、前記既登録記録媒体識別情報とを含む引き継ぎ要求を受信したことに基づいて、該受信した引き継ぎ要求に含まれる既登録記録媒体識別情報と新記録媒体識別情報とが同一店舗で発行された記録媒体の記録媒体識別情報であるか否かを判定する同一店舗判定手段（制御部５２）と、前記受信した引き継ぎ要求に含まれる新記録媒体識別情報が登録されているか否かを判定する登録判定手段（制御部５２）と、前記同一店舗判定手段により同一店舗で発行された記録媒体の記録媒体識別情報であると判定され、かつ前記登録判定手段により登録されていないと判定されたことを条件として、前記受信した引き継ぎ要求に含まれる既登録記録媒体識別情報に対応付けられている取引関連情報を、該引き継ぎ要求に含まれる新記録媒体識別情報に対応付ける引き継ぎ処理を行う引き継ぎ処理手段と、を備えることを特徴とする管理装置である。
【手続補正５】
【補正対象書類名】明細書
【補正対象項目名】０００８
【補正方法】変更
【補正の内容】
【０００８】
また請求項２に係る発明は、請求項１に記載した管理システム（１）であって、前記操作端末（ＰＣ６，携帯電話７，カードユニット２０，キオスク端末３０）は、複数の記録媒体識別情報（会員カードＩＤ）を含む合算要求（会員統合要求）を前記管理装置（ポイント管理装置５０）に対して送信する合算要求送信手段をさらに備え、前記管理装置は、複数の各記録媒体識別情報（会員カード）に対応する各取引関連情報（使用金額，ポイント）を合算するための合算条件を設定する合算条件設定手段（制御部５２）と、前記合算要求を受信したことに基づいて、該受信した合算要求に含まれる複数の記録媒体識別情報が前記合算条件設定手段により設定した合算条件を満たすか否かを判定する合算条件判定手段（制御部５２）と、該合算条件判定手段により合算条件を満たすと判定されたことを条件として、前記受信した合算要求に含まれる各記録媒体識別情報を対応付けて登録する登録手段（制御部５２）と、該登録手段により対応付けて登録した各記録媒体識別情報に対応する各取引関連情報を合算する合算処理（統合処理）を行う合算処理手段（制御部５２）と、をさらに備えることを特徴とする管理システムである。
【手続補正６】
【補正対象書類名】明細書
【補正対象項目名】０００９
【補正方法】変更
【補正の内容】
【０００９】
また請求項３に係る発明は、請求項２に記載した管理システム（１）であって、前記合算条件設定手段（制御部５２）は、前記受信した合算要求（会員統合要求）に含まれる各記録媒体識別情報（会員カードＩＤ）が記録された各記録媒体（会員カード）の発行店舗が異なることを前記合算条件として設定することを特徴とする管理システムである。
【手続補正７】
【補正対象書類名】明細書
【補正対象項目名】００１０
【補正方法】変更
【補正の内容】
【００１０】
また請求項４に係る発明は、請求項２又は３に記載した管理システム（１）であって、前記管理装置（ポイント管理装置５０）は、複数の店舗が属するグループを設定するグループ設定手段（ディスプレイ５４及び入力装置５５）をさらに備え、前記合算条件設定手段（制御部５２）は、前記受信した合算要求（会員統合要求）に含まれる各記録媒体識別情報（会員カードＩＤ）が記録された各記録媒体（会員カード）の発行店舗が前記グループ設定手段により設定された同一グループに属することを前記合算条件として設定することを特徴とする管理システムである。
【手続補正８】
【補正対象書類名】明細書
【補正対象項目名】００１１
【補正方法】変更
【補正の内容】
【００１１】
さらに請求項５に係る発明は、請求項２〜４のいずれか１つに記載した管理システム（１）であって、前記管理装置（ポイント管理装置５０）は、前記引き継ぎ要求を受信したことに基づいて、該受信した引き継ぎ要求に含まれる既登録記録媒体識別情報に対応付けて登録されている他の既登録記録媒体識別情報があるか否かを判定する対応付け判定手段（制御部５２）をさらに備え、該対応付け判定手段によりあると判定されたことを条件として、前記引き継ぎ処理手段（制御部５２）により、前記引き継ぎ処理を行うと共に、前記登録手段（制御部５２）により、前記引き継ぎ要求に含まれる新記録媒体識別情報を前記他の既登録記録媒体識別情報に対応付けて登録することを特徴とする管理システムである。
【手続補正９】
【補正対象書類名】明細書
【補正対象項目名】００１２
【補正方法】変更
【補正の内容】
【００１２】
まず請求項１に係る管理システム及び請求項６に係る管理装置によれば、管理装置において、既登録記録媒体識別情報が記録された記録媒体に代えて新たな記録媒体の再発行を受けた該記録媒体の所有者が操作する操作端末から引き継ぎ要求を受信したことに基づいて引き継ぎ処理が行われるので、該管理装置及び店舗に設けられる会員管理装置において引き継ぎ要求の送受信に伴うプログラムを組んだり、該送受信を行うための装置を設けたりする必要がなく、引き継ぎ処理を行うためのコストが低減される。また同一店舗で発行された記録媒体の記録媒体識別情報に対して引き継ぎ処理が行われるので、他の店舗で発行された記録媒体の記録媒体識別情報に対して引き継ぎ処理が行われてしまうおそれがない。また前記管理装置に登録されていない未登録の新記録媒体識別情報に対して引き継ぎ処理が行われるので、既登録の新記録媒体識別情報に対応付けられている取引関連情報が無効になってしまうということがなく、また既登録の新記録媒体識別情報に対応付けられている取引関連情報に他人の既登録記録媒体識別情報に対応付けられている取引関連情報が合算されて当該他人が損をしてしまうということがない。
【手続補正１０】
【補正対象書類名】明細書
【補正対象項目名】００１３
【補正方法】変更
【補正の内容】
【００１３】
また請求項２に係る管理システムによれば、複数の各記録媒体識別情報が合算条件を満たすことを条件として、管理装置において、当該各記録媒体識別情報に対応する各取引関連情報を合算する合算処理が行われるので、当該各記録媒体識別情報が記録された複数の記録媒体を所有する所有者の利便性が向上する。
【手続補正１１】
【補正対象書類名】明細書
【補正対象項目名】００１４
【補正方法】変更
【補正の内容】
【００１４】
また請求項３に係る管理システムによれば、合算要求に含まれる各記録媒体識別情報が記録された各記録媒体の発行店舗が異なる場合に限って、管理装置において合算処理が行われるので、記録媒体を紛失した者の取引関連情報が、該記録媒体を拾った他の者の取引関連情報と合算されてしまうおそれが低減し、該記録媒体を紛失した者が不利益を被るおそれを低減することができる。
【手続補正１２】
【補正対象書類名】明細書
【補正対象項目名】００１５
【補正方法】変更
【補正の内容】
【００１５】
また請求項４に係る管理システムによれば、合算要求に含まれる各記録媒体識別情報が記録された各記録媒体の発行店舗が同一グループに属する場合に限って、管理装置において合算処理が行われるので、当該各記録媒体識別情報に対応する取引関連情報を合算して使用でき、グループ店での集客の向上に利用することができる。
【手続補正１３】
【補正対象書類名】明細書
【補正対象項目名】００１６
【補正方法】変更
【補正の内容】
【００１６】
さらに請求項５に係る管理システムによれば、引き継ぎ要求に含まれる既登録記録媒体識別情報に対応付けて登録されている他の既登録記録媒体識別情報があれば、引き継ぎ要求に含まれる新記録媒体識別情報が当該他の既登録記録媒体識別情報に対応付けて登録されるので、当該他の既登録記録媒体識別情報と新記録媒体識別情報とを含む合算要求を送信する必要が無く、それら記録媒体識別情報が記録された複数の記録媒体を所有する所有者の利便性が向上する。